(57)【要約】【課題】スペーサを使用せずに電池セルどうしの間隔を確保しかつ電池セルの膨張を抑制することのできる電池モジュールを提供する。【解決手段】電池モジュール１は、複数の電池セル２とケース３と永久磁石４とを備える。電池セル２は、電極及び電解液が封入された容器２１をそれぞれ有している。ケース３は、電池セル２を第１の方向Ｘに互いに間隔Ｇを空けて並べた状態に保持する。永久磁石４は、第１の方向Ｘに隣り合う電池セル２どうしで対峙しあうそれぞれの容器２１の外側面２４に同極を対向させた状態に取り付けられる。【選択図】図３
2017054681.tif 000002
【特許請求の範囲】
【請求項１】
電極及び電解液が封入された容器を有する複数の電池セルと、
前記電池セルを第１の方向に互いに間隔を空けて並べた状態に保持するケースと、
前記第１の方向に隣り合う前記電池セルどうしで対峙しあうそれぞれの前記容器の外側面に同極を対向させた状態に取り付けられる永久磁石と、を備える
ことを特徴とする電池モジュール。
【請求項２】
前記容器は、前記第１の方向に偏平している直方体であって、
前記永久磁石は、前記外側面の中央部分に取り付けられている
ことを特徴とする請求項１に記載された電池モジュール。
【請求項３】
一つの前記電池セルの前記第１の方向の両側の前記外側面にそれぞれ取り付けられる前記永久磁石は、前記第１の方向に異極どうしを対峙させた状態に配置されている
ことを特徴とする請求項１に記載された電池モジュール。
【請求項４】
前記永久磁石は、前記第１の方向にＮ極及びＳ極が着磁されている
ことを特徴とする請求項１から請求項３のいずれか１項に記載された電池モジュール。
【請求項５】
前記永久磁石は、前記第１の方向に交差する方向にＮ極及びＳ極が着磁されている
ことを特徴とする請求項１から請求項４のいずれか１項に記載された電池モジュール。
【請求項６】
前記永久磁石は、前記外側面に沿う所定の面積を有したプレート形状である
ことを特徴とする請求項１から請求項５のいずれか１項に記載された電池モジュール。
【請求項７】
前記永久磁石は、前記第１の方向に交差する方向に長い短冊形状である
ことを特徴とする請求項１から請求項５のいずれか１項に記載された電池モジュール。
【請求項８】
前記永久磁石は、互いに間隔を空けて平行に並べて配置され、
両端に配置される前記永久磁石は、中間に配置される前記永久磁石よりも短冊形状の幅が大きい
ことを特徴とする請求項７に記載された電池モジュール。
【請求項９】
前記永久磁石は、互いに間隔を空けて平行に並べて配置され、隣り合う前記電池セルどうしでは、正対しない互い違いの位置関係に配置される
ことを特徴とする請求項７に記載された電池モジュール。
【発明の詳細な説明】
【技術分野】
【０００１】
本発明は、互いに隙間を空けて配列される複数の電池セルを内蔵した電池モジュールに関する。
【背景技術】
【０００２】
電極と電解液が容器に封入された電池セルがある。電気自動車などに電源として電池セルが搭載される場合、複数の電池セルをまとめてケースに収納した電池モジュールとして取り扱われる。各電池セルは、充電及び放電の際に発生する熱を放出させる必要がある。
【０００３】
特許文献１に記載された蓄電モジュール（電池モジュール）は、隣接する電池セルどうしの間にスペーサ部材を介在させることによって、電池セルの外面に沿って空気が流れるようにしている。
【０００４】
また、電池セルは、経年劣化に伴い電極が膨張したり電解液が分解されてガスが発生したりすることによって、容器の胴部が膨らむように変形することがある。電池セルどうしの距離が接近すると間に流れる空気の流量が減り、電池セルの冷却性能が低下する。特許文献１の場合、電池セルどうしの間にスペーサ部材を介在させており、そのスペーサ部材の中に冷却材を封入している。電池セルが膨張することでスペーサ部材が破壊されると冷却材が放出され、電池セルを冷却する仕組みになっている。
【先行技術文献】
【特許文献】
【０００５】
【特許文献１】特開２００９−３０１９６９号公報
【発明の概要】
【発明が解決しようとする課題】
【０００６】
ところで、電池セルの容器が膨らむと、冷却するための空気を流す隙間が狭まるだけでなく、容器の内部の電極間距離が広がり、電池としての容量および出力が低下することも懸念される。また、特許文献１では、スペーサを介在させることで隙間を確保しているが、スペーサを介して隣り合う電池に熱が伝達されるとともにスペーサに接している部分の冷却性能が低下する。また、複数ある電池セルの容器がそれぞれ膨らむことを均質に防止できるようにするためには、スペーサや電池セルの寸法精度及び組立精度が要求され、製造コストもかかる。
【０００７】
そこで、本発明は、スペーサを使用せずに電池セルどうしの間隔を確保しかつ電池セルの膨張を抑制することのできる電池モジュールを提供する。
【課題を解決するための手段】
【０００８】
本発明に係る一実施形態の電池モジュールは、複数の電池セルとケースと永久磁石とを備える。電池セルは、電極及び電解液が封入された容器をそれぞれ有している。ケースは、電池セルを第１の方向に互いに間隔を空けて並べた状態に保持する。永久磁石は、第１の方向に隣り合う電池セルどうしで対峙しあうそれぞれの容器の外側面に同極を対向させた状態に取り付けられる。
【０００９】
このとき、容器が第１の方向に偏平している直方体である場合、永久磁石は、外側面の中央部分に取り付けられている。また、一つの電池セルの第１の方向の両側の外側面にそれぞれ取り付けられる永久磁石は、第１の方向に異極どうしを対峙させた状態に配置されていることも好ましい。そして、永久磁石は、第１の方向にＮ極及びＳ極が着磁されている。または、永久磁石は、第１の方向に交差する方向にＮ極及びＳ極が着磁されている。
【００１０】
また、永久磁石は、外側面に沿う所定の面積を有したプレート形状であることも好ましい。または、永久磁石は、第１の方向に交差する方向に長い短冊形状であることも好ましい。この場合、永久磁石は、互いに間隔を空けて平行に並べて配置され、両端に配置される永久磁石は、中間に配置される永久磁石よりも短冊形状の幅が大きいことが好ましい。また、永久磁石は、互いに間隔を空けて平行に並べて配置され、隣り合う電池セルどうしでは、正対しない互い違いの位置関係に配置されることも好ましい。
【発明の効果】
【００１１】
本発明に係る一実施形態の電池モジュールによれば、第１の方向に並べられて互いに対峙しあうそれぞれの容器の外側面に同極を対向させた状態に永久磁石が取り付けられているので、スペーサを配置することなく電池セルどうしの間に冷却ガスを流すための隙間を確保することができるとともに、電池セルの容器が膨らむことを抑制できる。また、本発明の場合、磁力の反発力で電池セルの容器が変形することを押さえ込むので、スペーサによって物理的な拘束力が容器に対して局部的に作用しない。各電池セルを効率よく冷却でき、電池内部の不均一な反応を抑制できる。また、磁力によって容器が膨らむことを押えるため、容器ごとの寸法精度や組立精度は、スペーサを介在させる場合よりも緩和され、製造コストを抑えることができる。
【００１２】
容器が第１の方向に偏平している直方体である場合に永久磁石が外側面の中央部に取り付けられる発明の電池モジュールによれば、電池セル内部に発生するガスによって最も膨らみやすい部分を押さえることができる。一つの電池セルの第１の方向の両側の外側面にそれぞれ取り付けられる永久磁石を、第１の方向に異極どうしを対峙させた状態に配置する発明の電池モジュールによれば、第１の方向に磁力による引力も利用して電池セルの容器が膨らむことを押さえ込むことができる。寸法の小さい偏平容器である場合にはその効果も大きい。このとき第１の方向にＮ極及びＳ極が着磁された永久磁石を採用することで、安定した反発力を得ることができる。また、第１の方向に交差する方向にＮ極及びＳ極が着磁された永久磁石を採用すると、永久磁石として着磁されやすく強い磁力を得ることができる。
【００１３】
また、容器の外側面に沿う所定の面積を有したプレート形状の永久磁石を採用する発明の電池モジュールによれば、組み立てる際に多少のずれを許容できる。また、第１の方向に交差する方向に長い短冊形状に形成された永久磁石を採用する発明の電池モジュールによれば、永久磁石として着磁させやすく強い磁力を得られる。この短冊形状の永久磁石を互いに間隔を空けて平行に並べて配置する場合、両端に位置する永久磁石の短冊形状の幅が中間部に配置される永久磁石の幅よりも大きいことが発明の電池モジュールによれば、永久磁石を配列した方向に作用する反発力に対して両端の永久磁石を容器の外側面に固定する接合面積を十分にとることができる。さらに短冊形状の永久磁石を互いに間隔を空けて平行に配列する場合に隣り合う電池セルどうしでは正対しない互い違いの位置関係に配置する発明の電池モジュールによれば、電池セルどうしの間に流れる冷却ガスの流路が確保され、各電池セルの冷却性能が向上する。電池モジュールの充電放電性能が向上する。
【図面の簡単な説明】
【００１４】
【図１】本発明に係る第１の実施形態の電池モジュールの斜視図。
【図２】図１中のＦ２−Ｆ２線に沿う電池モジュールの模式的な断面図。
【図３】図２の電池モジュールの永久磁石の磁極の配列を示す図。
【図４】本発明に係る第２の実施形態の電池モジュールの永久磁石の配列を示す図。
【図５】本発明に係る第３の実施形態の電池モジュールの永久磁石の配列を示す図。
【図６】本発明に係る第４の実施形態の電池モジュールの永久磁石の配列を示す図。
【図７】本発明に係る第５の実施形態の電池モジュールの電池セルを示す斜視図。
【図８】図８の電池セルを並べた電池モジュールの永久磁石の配列を示す図。
【図９】本発明に係る第６の実施形態の電池モジュールの永久磁石の配列を示す図。
【発明を実施するための形態】
【００１５】
本発明に係る第１の実施形態の電池モジュール１について、図１から図３を参照して説明する。図１は、複数の電池セル２を保持する電池モジュール１の外観を示す斜視図であって、ケース３の中に収納している複数の電池セル２の内の２つを隠れ線で示している。複数の電池セル２は、並べられた方向（第１の方向Ｘ）に偏平した直方体の容器２１とこの内部に封入された電極（正極及び負極）及び電解液を有している。また、容器２１内の正極及び負極につながる端子２２，２３は、容器２１の１つの面から突出しており、隣り合う電池セル２１の端子２２，２３どうしが直列に接続される。
【００１６】
また、ケース３は、図２に示すように、複数の電池セル２を第１の方向Ｘに互いに間隔を空けて並べた状態に保持するための溝３１１が内側に設けられているフレーム３１と、端子２２，２３を覆うとともに端子２２，２３を接続する配線が内蔵されたカバー３２とを備える。隣り合う電池セル２どうしの間に確保された隙間Ｇは、各電池セル２で発生する熱を放出させるために冷却ガス、本実施形態では空気、を流すための流路として使用される。したがって、第１の方向Ｘを横切る方向、ここでは一つの電池セル２の端子２２，２３が並ぶ方向（第２の方向Ｙ）に冷却ガスが流れるように、各隙間Ｇに連通する窓３１２がフレーム３１に開口している。
【００１７】
図１及び図２に示すように、電池セル２は、容器２１の外側面２４に永久磁石４が取り付けられている。外側面２４は、電池セル２が並べられた第１の方向Ｘに隣り合う電池セル２どうしで対峙しあう面であり、冷却ガスが流れる流路の一部を構成する。永久磁石４は、隣り合う電池セル２どうしで同極を対向させた状態にそれぞれの電池セルの外側面２４に取り付けられる。本実施形態の場合、永久磁石４は、両面テープや接着剤で固定されている。
【００１８】
永久磁石４は、いわゆるネオジム磁石を採用する。必要な磁力が得られれば永久磁石として、フェライト磁石、サマリウムコバルト磁石等、他の永久磁石も採用することができる。永久磁石４は、図１及び図２に示すように外側面２４に沿う所定の面積を有したプレート形状である。永久磁石４は、第１の方向にＮ極４１及びＳ極４２が着磁されている。図３は、永久磁石４の磁極の向きを模式的に示している。図３において永久磁石４は、電池セル２の外側面２４に面した側にＮ極４１が配置されており、隣り合う電池セルに対してＳ極４２を向けた状態で取り付けられている。電池モジュール１は、第１の方向Ｘに並べられた電池セル２のうち両端に位置する電池セル２に対向する位置にさらに永久磁石４を配置している。これらの永久磁石４もまた、対峙する電池セルに取り付けられた永久磁石４に対して同極であるＳ極４２を向けて取り付けられている。なお、第１の実施形態では、図３に示すように隣り合う電池セル２どうしで同極であるＳ極４２を互いに対向させた状態に永久磁石４が配置されているが、Ｎ極４１が同極どうし互いに対向するように永久磁石４を配置してもよい。
【００１９】
本実施形態の場合、電池セル２の容器２１は、第１の方向Ｘに偏平した直方体であり、電池セル２内で発生するガスなどによって内圧が高くなると永久磁石４が貼り付けられた外側面２４が最も膨らみやすい。そこで、永久磁石４は、図１及び図２に示すように、この外側面２４の中央部分に取り付けられる。ここで中央部分とは、例えば、外側面２４の全面を縦横３等分の９分割にした場合の中央の１つの領域、または、外側面２４の前面を縦横４等分の１６分割にした場合の中央の４つの領域に相当する範囲を含む。その大きさは、容器２１の材質に伴う強度や構造的剛性、及び永久磁石の磁力強度や材質に応じて適宜変更される。
【００２０】
以上のように構成された本発明に係る電池モジュール１によれば、隣り合う電池セルどうし、外側面２４に取り付けられた永久磁石４が互いに同極を対向させるように配置されており、その磁力による反発力で、電池セル２が膨らむことを押えている。永久磁石４の磁力によって反発しているので、隣り合う電池セル２とは非接触であり、間に冷却ガスが流れやすい。各電池セルの冷却効率が向上するので、電池モジュール１の発熱による劣化を抑えやすくなるため、電池モジュール１としての耐用年数も延びる。さらに、電池セル２の内部で電解液などからガスが発生することで電池セル２の容器２１が膨らむことがあっても、隣り合う電池セル２の永久磁石４どうしが接近することに反比例して磁力による反発力が強くなるため、容器２１の形状を一定に保ちやすい。
【００２１】
以下に、第２から第６の実施形態の電池モジュール１について説明する。第２から第６の実施形態の電池モジュール１は、永久磁石２の磁極の向き、すなわち着磁方向や、構成が第１の実施形態の電池モジュール１と異なっており、そのほかの構成及び構造はほぼ同じである。したがって、第２から第６の実施形態において第１の実施形態の電池モジュール１と同じ機能を有する構成には同じ符号を付し、その詳細な説明は第１の実施形態の対応する記載を参酌することとする。
【００２２】
第２の実施形態の電池モジュール１について、図４を参照して説明する。本実施形態の電池モジュール２は、図４に示すように、電池セル２に取り付けられる永久磁石４の磁極の配置が第１の実施形態と異なっている。第２の実施形態において永久磁石４は、隣り合う電池セル２の互いに対峙する外側面２４に取り付けられたものどうしは、同極を対峙させた状態であることに加え、同じ一つの電池セル２の両側の外側面２４にそれぞれ取り付けられる永久磁石４が、第１の方向Ｘに異極どうしを対峙させた状態、すなわち、電池セル２を挟んでＮ極４１とＳ極４２が向き合うように配置している。したがって、図４に示すように、隣り合う電池セル２どうしの間で、一方の側の電池セル２とＳ極４２どうしを対峙させ、他方の側の電池セル２とＮ極４１どうしを対峙させる状態が、さらに交互に配置されていることである。
【００２３】
このように構成された第２の実施形態の電池モジュール１によれば、隣り合う電池セル２どうしの外側面２４に取り付けられた永久磁石４どうしは、同極どうしであるので互いに反発しあい、一つの電池セル２の両側の外側面２４に取り付けられた永久磁石４どうしは、異極どうしであるので磁力によって互いに引き合う。つまり第１の実施形態と同じ磁力の永久磁石４を配置する場合、電池セル２ごとに磁極の向きと電極の端子２２，２３の配置に気を付けて組み立てる必要が生じるが、磁極の向きを本実施形態のようにすることで、電池セル２が膨らむことを押える力が増す。特に、第１の方向Ｘに電池セル２の厚みが小さい場合、その効果がより顕著に表れる。
【００２４】
第３の実施形態の電池モジュール１について、図５を参照して説明する。本実施形態の電池モジュール１は、電池セル２に取り付けられる永久磁石４の磁極の配置が第１及び第２の実施形態と異なっている。第３の実施形態において永久磁石４は、図５に示すように、隣り合う電池セル２の互いに対峙する外側面２４に取り付けられたものどうしが同極を対峙させる状態であることに加え、第１の方向Ｘに交差する方向、本実施形態では電極の端子２２，２３が並ぶ第２の方向Ｙであり冷却ガスが流れる方向に、Ｎ極４１及びＳ極４２が着磁された状態である。
【００２５】
具体的には、図５に示すように、第１の方向Ｘに交差する第２の方向にプレート形状の永久磁石４の約半分がＮ極３１にもう半分がＳ極４２に着磁された状態である。電池モジュール２内において電池セル２どうしの間に隙間Ｇを確保しづらい場合でも、第２の方向ＹにＮ極４１及びＳ極４２を着磁することで、プレート形状の板厚方向すなわち第１の方向にＮ極４１及びＳ極４２を着磁するよりも容易に着磁させることができ、さらに第１の方向Ｘに寸法を小さくすることもできる。
【００２６】
第４の実施形態の電池モジュール１について、図６を参照して説明する。本実施形態の電池モジュール１は、電池セル２に取り付けられる永久磁石４の磁極の配置が第１から第３の実施形態と異なっている。第４の実施形態において永久磁石４は、図６に示すように、隣り合う電池セル２の互いに対峙する外側面２４に取り付けられたものどうしは、同極を対峙させる状態であることに加え、第１の方向Ｘに交差する方向すなわち第２の方向Ｙに、Ｎ極４１及びＳ極４２が着磁された状態であり、さらに、同じ一つの電池セル２の両側の外側面２４にそれぞれ取り付けられる永久磁石４が、第１の方向Ｘに異極どうしを対峙させた状態、すなわち電池セル２を挟んでＮ極４１とＳ極４２が向き合うように配置されている。
【００２７】
このように構成された第４の実施形態の電池モジュール１によれば、隣り合う電池セル２どうしの外側面２４に取り付けられた永久磁石４どうしは同極を対面させるので互いに反発しあい、一つの電池セル２の両側の外側面２４に取り付けられた永久磁石４どうしは、異極どうしが対峙することになるので、磁力によって互いに引き合う。つまり、第２の実施形態と同じように、電池セル２が膨らむことを押える力が増す。また、永久磁石４は、Ｎ極４１及びＳ極４２が第２の方向Ｙに並ぶように着磁されるので、磁石を製造しやすくまた第１の方向Ｘに寸法を小さくすることもできる。
【００２８】
第５の実施形態の電池モジュール１について、図７及び図８を参照して説明する。本実施形態の電池モジュール１は、電池セル２に取り付けられる永久磁石４の構成が、第１から第４の実施形態と異なっている。図７に示すように、第５の実施形態における永久磁石４（４Ａ，４Ｂ）は、第１の方向Ｘに交差する方向、本実施形態では、電極の端子２２，２３が並ぶ方向、すなわち冷却ガスが流れる第２の方向Ｙに長い短冊形状である。永久磁石４（４Ａ，４Ｂ）は、互いに間隔を空けて平行に並べて配置されている。また、並べられた短冊形状の永久磁石４のうち両端に配置される永久磁石４Ａの短冊形状の幅ＷＡは、中間に配置される永久磁石４Ｂの幅ＷＢよりも大きい。
【００２９】
本実施形態において、永久磁石４Ａ，４Ｂは、隣り合う電池セル２の互いに対峙する外側面２４に取り付けられたものどうしが同極を対峙させる状態に配置され、かつ図７に示すように第１の方向Ｘに交差する第２の方向ＹにＮ極４１及びＳ極４２が着磁された状態であり、さらに、同じ外側面２４に平行に配置される永久磁石４Ａ，４Ｂどうしでも第２の方向Ｙにおいて同じ側にＮ極４１またはＳ極４２が揃うように配置される。また、図８に示すように、一つの電池セル２の両側の外側面２４に取り付けられる短冊形状の永久磁石４Ａ，４Ｂは、電池セル２を挟んで対称に配置されるとともに、隣り合う電池セル２の互いに対峙しあう外側面２４に取り付けられる永久磁石４Ａ，４Ｂどうしが正対しあうように配置されている。
【００３０】
以上のように構成された第５の実施形態の電池モジュール１によれば、永久磁石４（４Ａ，４Ｂ）が第２の方向Ｙに長い短冊形状に形成され、これらを平行に並べて配置している。すなわち第３の実施形態の電池モジュール１における永久磁石４を、電極の端子２２，２３が突出した方向（第１の方向Ｘ及び第２の方向Ｙの両方に交差する第３の方向Ｚ）に複数に分割した状態である。永久磁石４Ａ，４Ｂは、短冊形状の棒磁石のように着磁されるため、簡単に製造できまた発生する磁力も安定している。さらに分割して配置するため、永久磁石４Ａ，４Ｂが配置されることで反発力を発生させる有効面積が広くなり、軽量化に寄与する。また、電池セル２の容器２１が均質に膨らまない、すなわち局部的に膨らんだ場合にも永久磁石４Ａ，４Ｂが外側面２４から外れにくい。
【００３１】
本実施形態では、同じ外側面２４に平行に並べられた永久磁石４Ａ，４Ｂは、同じ側に同極が揃えられている。したがって、外側面２４に沿う方向に両端に配置された永久磁石４Ａは、中間に被地された永久磁石４Ｂから一方向に磁力による反発力を受ける。このとき、両端に配置される永久磁石４Ａの短冊形状の幅ＷＡは、中間に配置される永久磁石４Ｂの幅ＷＢよりも大きいため、両端の永久磁石４Ａは外側面２４にしっかりと固定され外れにくい。なお、短冊形状の永久磁石４Ａ，４Ｂを所定の間隔に嵌め込むことのできる非磁性体の枠で結合して外側面２４に取り付けてもよい。
【００３２】
第６の実施形態の電池モジュール１について、図９を参照して説明する。本実施形態の電池モジュール１は、図９に示すように、同じ電池セル２の両側の外側面２４に取り付けられる永久磁石４Ａ，４Ｂの配置が、電池セル２の電極の端子２２，２３が突出した第３の方向Ｚにずれており、電池セル２を挟んで非対称である。具体的には、一方の側の外側面２４において永久磁石４Ｂが配置された部分に対し、他方の側の外側面２４にでは永久磁石４Ｂの間の部分に対峙するように、つまり、隣り合う電池セル２どうしでは、永久磁石４Ｂが正対しない互い違いの位置関係に配置され、第３の方向Ｚにいわゆるチドリ配置に永久磁石４Ｂが取り付けられている。そのほかの点においては第５の実施形態と同じように永久磁石４Ａ，４Ｂが配置される。
【００３３】
以上のように永久磁石４Ａ，４Ｂが配置されることによって、隣り合う電池セル２で互いに対峙する外側面２４に取り付けられた永久磁石４Ａ，４Ｂは、電池セル２の端子２２，２３が突出した第３の方向Ｚの成分の反発力が生まれる。したがって、隣り合う電池セル２どうしの間の反発力が安定する。また、永久磁石４Ａ，４Ｂがチドリ配置になっているため、冷却ガスが電池セル２どうしの間の隙間Ｇにおいて澱まずに流れやすい。
【００３４】
なお、第１から第６の実施形態の電池モジュール１を示したが、本発明の電池モジュールの永久磁石の配置は、各実施形態における永久磁石４（４Ａ，４Ｂ）の配置に限定されることを意図していない。第３及び第４の実施形態では、冷却ガスが流れる第２の方向ＹにＮ極４１及びＳ極４２が着磁された永久磁石４を示したが、冷却ガスが流れる第２の方向Ｙを横切る方向、電池セル２の端子２２，２３が突出した第３の方向ＺにＮ極４１及びＳ極４２が配置されるように着磁された永久磁石４であってもよい。また、第５及び第６の実施形態では、冷却ガスが流れる第２の方向Ｙに長い短冊形状に永久磁石４Ａ，４Ｂとしたが、冷却ガスが流れる第２の方向を横切る方向、電池セル２の端子２２，２３が突出した第３の方向Ｚに長い短冊形状に永久磁石４Ａ，４Ｂであってもよい。さらに、第６の実施形態においてひとつの電池セル２の両側の外側面２４どうしで第３の方向Ｚにチドリ配置に永久磁石４Ｂを配置する場合、互いに引き合うように異極どうしが対峙する第４の実施形態のように永久磁石４Ａ，４Ｂを配置してもよい。以上のように、第１から第６の実施形態を組み合わせることによって生じる新たな種々実施形態もまた本願発明に含まれる。
【符号の説明】
【００３５】
１…電池モジュール、２…電池セル、２１…容器、２４…外側面、３…ケース、３１１…溝、４…永久磁石、４Ａ，４Ｂ…（短冊形状の）永久磁石、４１…Ｎ極、４２…Ｓ極、Ｇ…間隔、Ｘ…第１の方向、Ｙ…第１の方向に交差する方向（第２の方向）。
【図１】
2017054681.tif 000003
【図２】
2017054681.tif 000004
【図３】
2017054681.tif 000005
【図４】
2017054681.tif 000006
【図５】
2017054681.tif 000007
【図６】
2017054681.tif 000008
【図７】
2017054681.tif 000009
【図８】
2017054681.tif 000010
【図９】
2017054681.tif 000011